【手続補正書】
【提出日】平成17年4月8日(2005.4.8)
【手続補正１】
【補正対象書類名】特許請求の範囲
【補正対象項目名】全文
【補正方法】変更
【補正の内容】
【特許請求の範囲】
【請求項１】
デバイスであって、デバイスは、並行して作動可能であるように構成された複数の反応チャンバーを備えるポリマー物品を備え、各反応チャンバーは、約２０００μｌ未満の容量を有する細胞増殖チャンバーを備え、該細胞増殖チャンバーは、細胞の、酸素および／または栄養分および／または他の化合物との相互作用から生じる産物を生じるために少なくとも十分な時間にわたって、該細胞を培養するように構成および配置されており、各反応チャンバーは、化合物の無菌導入のための入口開口部、該反応チャンバーから物質を取り出すための出口開口部、および水蒸気不透過性の気体透過膜をさらに備え、該細胞増殖チャンバーに隣接して位置し、該ポリマー物品は、該細胞増殖チャンバーの該入口開口部に流体接続された、少なくとも第１のチャネルをさらに備える、デバイス。
【請求項２】
前記細胞増殖チャンバーに付随する気体ヘッドスペースをさらに備え、該気体ヘッドスペースは、気体入口開口部および気体出口開口部を備える、請求項１に記載のデバイス。
【請求項３】
前記第１のチャネルが、混合チャンバーに流体接続された、請求項１に記載のデバイス。
【請求項４】
デバイスであって、該デバイスは、並行して作動可能であるように構成された複数の反応チャンバーを備えるポリマー物品を備え、各反応チャンバーは、約２０００μｌ未満の容量を有する細胞増殖チャンバーを備え、該ポリマー物品は、水蒸気不透過性の気体透過膜をさらに備え、該気体透過膜は、該細胞増殖チャンバーと気体連絡して配置されている、デバイス。
【請求項５】
方法であって、以下：
複数の反応チャンバーを備えるポリマー物品を提供する工程であって、各反応チャンバーは、約２０００μｌ未満の容量を有する細胞増殖チャンバーを備え、各反応チャンバーは、化合物の無菌導入のための入口開口部、および該反応チャンバーから生成物を取り出すための出口開口部をさらに備え、該細胞増殖チャンバーに隣接して位置し、該ポリマー物品は、該細胞増殖チャンバーに各々が流体接続された、少なくとも第１および第２のチャネル、ならびに水蒸気不透過性の気体透過膜をさらに備える、工程；
該複数の反応チャンバーのうちの少なくともいくつかを並行して作動させる工程であって、各反応チャンバーについて、該膜を通って該細胞増殖チャンバーへの酸素の透過を可能にし、細胞の増殖を容易にする工程、および細胞の、酸素および／または栄養分および／または他の化合物との相互作用から生じる産物を生じるために少なくとも十分な時間にわたって、該細胞を培養する工程を包含する、工程；ならびに
該細胞増殖チャンバー内での該細胞が関与する反応から、該細胞によって産生された産物を回収する工程、
を包含する、方法。
【請求項６】
前記ポリマー物品が、前記細胞増殖チャンバーに付随する気体ヘッドスペースをさらに備え、該気体ヘッドスペースは、気体入口開口部および気体出口開口部を備え、前記方法は、酸素を、該気体入口開口部を介して該気体ヘッドスペースに導入する工程をさらに包含する、請求項５に記載の方法。
【請求項７】
前記産物がタンパク質を含む、請求項５に記載の方法。
【請求項８】
方法であって、該方法は、細胞を、ポリマー物品中で培養する工程を包含し、該ポリマー物品は、並行して作動可能であるように構成された複数の反応チャンバーを備えるポリマー物品を備え、各反応チャンバーは、約２０００μｌ未満の容量を有する細胞増殖チャンバーを備え、該ポリマー物品は、水蒸気不透過性の気体透過膜をさらに備え、該気体透過膜は、該細胞増殖チャンバーと気体連絡して配置されている、方法。
【請求項９】
さらに、以下：
前記複数の細胞培養チャンバーのうちの少なくとも１つに、少なくとも１つの試験化合物を導入する工程；および
前記細胞の生物学的応答に対する、該少なくとも１つの試験化合物の効果をモニターする工程、
を包含する、請求項８に記載の方法。
【請求項１０】
前記生物学的応答が、細胞増殖である、請求項９に記載の方法。
【請求項１１】
前記生物学的応答が、前記細胞による、選択された分子の産生である、請求項９に記載の方法。
【請求項１２】
前記生物学的応答が、前記細胞による、選択された分子の取り込みである、請求項９に記載の方法。
【請求項１３】
前記モニターする工程が、前記生物学的応答により誘導される蛍光シグナルを測定する工程を包含する、請求項９に記載の方法。
【請求項１４】
前記細胞増殖チャンバーが、１０００μｌ未満の容量を有する、請求項１〜４のいずれか１項に記載のデバイスまたは請求項５〜１３のいずれか１項に記載の方法。
【請求項１５】
前記細胞増殖チャンバーが、１００μｌ未満の容量を有する、請求項１〜４のいずれか１項に記載のデバイスまたは請求項５〜１３のいずれか１項に記載の方法。
【請求項１６】
少なくとも５個の細胞増殖チャンバーを備える、請求項１〜４のいずれか１項に記載のデバイスまたは請求項５〜１３のいずれか１項に記載の方法。
【請求項１７】
少なくとも１０個の細胞増殖チャンバーを備える、請求項１〜４のいずれか１項に記載のデバイスまたは請求項５〜１３のいずれか１項に記載の方法。
【請求項１８】
少なくとも２０個の細胞増殖チャンバーを備える、請求項１〜４のいずれか１項に記載のデバイスまたは請求項５〜１３のいずれか１項に記載の方法。
【請求項１９】
前記ポリマー物品が、該反応チャンバーから物質を取り出すための少なくとも１つの出口開口部を備える、請求項１〜４のいずれか１項に記載のデバイスまたは請求項５〜１３のいずれか１項に記載の方法。
【請求項２０】
前記ポリマー物品が、化合物の無菌導入のための少なくとも１つの入口開口部を備える、請求項１〜４のいずれか１項に記載のデバイスまたは請求項５〜１３のいずれか１項に記載の方法。
【請求項２１】
前記ポリマー物品が、前記細胞増殖チャンバーと光学的に連絡されている光学センサーをさらに備える、請求項１〜４のいずれか１項に記載のデバイスまたは請求項５〜１３のいずれか１項に記載の方法。
【請求項２２】
前記ポリマー物品が、前記細胞増殖チャンバー内の温度をモニターするためのセンサーをさらに備える、請求項１〜４のいずれか１項に記載のデバイスまたは請求項５〜１３のいずれか１項に記載の方法。
【請求項２３】
前記ポリマー物品が、前記細胞増殖チャンバー内の光学密度をモニターするためのセンサーをさらに備える、請求項１〜４のいずれか１項に記載のデバイスまたは請求項５〜１３のいずれか１項に記載の方法。
【請求項２４】
前記ポリマー物品が、前記細胞増殖チャンバー内のｐＨをモニターするためのセンサーをさらに備える、請求項１〜４のいずれか１項に記載のデバイスまたは請求項５〜１３のいずれか１項に記載の方法。
【請求項２５】
前記ポリマー物品が、前記細胞増殖チャンバー内の圧力をモニターするためのセンサーをさらに備える、請求項１〜４のいずれか１項に記載のデバイスまたは請求項５〜１３のいずれか１項に記載の方法。
【請求項２６】
前記ポリマー物品が、前記細胞増殖チャンバー内のグルコース濃度をモニターするためのセンサーをさらに備える、請求項１〜４のいずれか１項に記載のデバイスまたは請求項５〜１３のいずれか１項に記載の方法。
【請求項２７】
前記ポリマー物品が、少なくとも第１および第２の細胞増殖チャンバーを備え、該第１の細胞チャンバーは、第１の型の細胞を含み、そして該第２の細胞増殖チャンバーは、第２の型の細胞を含む、請求項１〜４のいずれか１項に記載のデバイスまたは請求項５〜１３のいずれか１項に記載の方法。